(57)【要約】  複数の貫通穴を有する支持板が、ディスプレイパネルの背面に取り付けられ、貫通穴に対応する位置に光検出部がそれぞれ取り付けられている。光検出部は、貫通穴に対向するセルからの光を直接受け、光量をそれぞれ検出する。補正制御部は、試験表示パターンの表示中に光検出部により検出されるセルの光量にそれぞれ基づいて補正信号を生成する。光量調整部は、セルを発光するために供給される画像信号に含まれる輝度情報を、補正信号に応じて補正する。信号処理部は、光量調整部により補正された画像信号に応じて、ディスプレイパネルに供給する画像表示信号を生成する。これにより、貫通穴を介して光検出部により直接検出された光量に基づいてセルの発光量をそれぞれ調整できる。この結果、フラットパネルディスプレイ装置の出荷後に発生した輝度むらを無くすことができる。
2008004290.tif 000002
【特許請求の範囲】
【請求項１】
マトリックス状に配置され、画像を表示するための複数のセルを有するディスプレイパネルと、
前記ディスプレイパネルを支持するために前記ディスプレイパネルの背面に取り付けられ、複数の貫通穴を有する支持板と、
前記支持板における前記ディスプレイパネルと反対側の面に、前記貫通穴に対応してそれぞれ取り付けられ、前記貫通穴に対向するセルの光量を検出する複数の光検出部と、
試験表示パターンを前記ディスプレイパネルに表示するための試験画像信号を出力する試験パターン生成部と、
前記ディスプレイパネルにおける位置に依存する光量のむらを減らすための補正信号を、前記試験表示パターンの表示中に前記光検出部により検出されるセルの光量に基づいて生成する補正制御部と、
前記セルを発光するために供給される画像信号に含まれる輝度情報を、前記補正信号に応じて補正する光量調整部と、
前記光量調整部により補正された画像信号に応じて、前記ディスプレイパネルに供給する画像表示信号を生成する信号処理部とを備えていることを特徴とするフラットパネルディスプレイ装置。
【請求項２】
請求項１記載のフラットパネルディスプレイ装置において、
前記ディスプレイパネルは、互いに異なる色の光を発生する複数種のセルを交互に配列して構成され、
前記貫通穴は、前記複数種のセルに対向する大きさに形成され、
前記各検出部は、前記複数種のセルからそれぞれ出力される光を検出することを特徴とするフラットパネルディスプレイ装置。
【請求項３】
請求項２記載のフラットパネルディスプレイ装置において、
前記試験パターン生成部は、前記複数種のセルを１つずつ発光させるための画像信号を順次生成し、
前記各検出部は、前記複数種のセルからそれぞれ出力される光を順次検出することを特徴とするフラットパネルディスプレイ装置。
【請求項４】
請求項２記載のフラットパネルディスプレイ装置において、
フラットパネルディスプレイ装置の製造工程において、前記試験表示パターンを表示中に前記光検出部により検出された前記複数種のセルからの光量を記憶する不揮発性の記憶部を備え、
前記補正制御部は、前記光検出部により検出される前記複数種のセルからの光量の比を、前記記憶部に記憶された光量の比と等しくするために前記補正信号を生成することを特徴とするフラットパネルディスプレイ装置。
【請求項５】
請求項４記載のフラットパネルディスプレイ装置において、
フラットパネルディスプレイ装置の製造工程において、前記補正制御部は、前記光検出部により検出される前記複数種のセルからの光量の比を予め設定された光量比と等しくするために前記補正信号を生成し、
前記記憶部は、前記補正信号に対応する光量の比を記憶することを特徴とするフラットパネルディスプレイ装置。
【請求項６】
請求項１記載のフラットパネルディスプレイ装置において、
外部からの調整要求を受ける要求入力部を備え、
前記試験パターン生成部および前記補正制御部は、前記調整要求に応答して所定期間動作し、
前記補正制御部は、前記調整要求に応答する前記光検出部の検出動作毎に前記補正信号の値を変更することを特徴とするフラットパネルディスプレイ装置。
【請求項７】
請求項１記載のフラットパネルディスプレイ装置において、
前記補正信号の値を記憶する不揮発性の記憶部を備え、
前記試験パターン生成部、前記光検出部および前記補正制御部は、フラットパネルディスプレイ装置の電源オフ操作に応答して動作し、
フラットパネルディスプレイ装置の電源は、前記試験パターン生成部、前記光検出部および前記補正制御部の動作後にオフすることを特徴とするフラットパネルディスプレイ装置。
【請求項８】
請求項７記載のフラットパネルディスプレイ装置において、
前記ディスプレイパネルの動作時間の累積する時間累積部を備え、
前記試験パターン生成部、前記光検出部および前記補正制御部は、前記時間累積部により所定の動作時間が累積される毎に、フラットパネルディスプレイ装置の最初の電源オフ操作に応答して動作することを特徴とするフラットパネルディスプレイ装置。
【請求項９】
請求項１記載のフラットパネルディスプレイ装置において、
前記試験パターン生成部、前記光検出部および前記補正制御部は、フラットパネルディスプレイ装置の電源オン操作に応答して動作することを特徴とするフラットパネルディスプレイ装置。
【請求項１０】
請求項９記載のフラットパネルディスプレイ装置において、
前記ディスプレイパネルの動作時間の累積する時間累積部を備え、
前記試験パターン生成部、前記光検出部および前記補正制御部は、前記時間累積部により所定の動作時間が累積される毎に、フラットパネルディスプレイ装置の最初の電源オン操作に応答して動作することを特徴とするフラットパネルディスプレイ装置。
【請求項１１】
請求項１記載のフラットパネルディスプレイ装置において、
前記光検出部に外光が入射することを防止するために、前記光検出部を覆って配置される遮光部材を備えていることを特徴とするフラットパネルディスプレイ装置。
【請求項１２】
請求項１記載のフラットパネルディスプレイ装置において、
前記補正制御部は、前記光検出部の検出結果に基づいて、前記光検出部により光量を検出できないセルに対応する補正信号を生成する補間処理部を備えていることを特徴とするフラットパネルディスプレイ装置。
【請求項１３】
請求項１記載のフラットパネルディスプレイ装置において、
前記ディスプレイパネルは、プラズマディスプレイパネルであることを特徴とするフラットパネルディスプレイ装置。
【発明の詳細な説明】
【技術分野】
【０００１】
本発明は、自発光型のセルを有するフラットパネルディスプレイ装置に関する。
【背景技術】
【０００２】
プラズマディスプレイパネル装置（以下、ＰＤＰ装置とも称する）等のフラットパネルディスプレイ装置は、２枚のガラス基板を互いに貼り合わせて構成されており、ガラス基板の間に形成される空間に放電光を発生させることで画像を表示する。画像の画素に対応するセルは、自発光型であり、紫外線を受けて赤、緑、青の可視光を発生する蛍光体が塗布されている。一般に、自発光型のセルの発光効率（輝度）は、装置を長時間使用することにより低下する。また、輝度の低下に伴い、ホワイトバランス等の色度がずれる。ＰＤＰ装置の出荷後に発生する輝度の低下および色度のずれを調整するために、画像を表示するセルとは別に調整用セルを形成し、調整用セルの輝度をセンサにより検出するＰＤＰ装置が提案されている（例えば、特許文献１参照）。
【特許文献１】特開２０００−１１５８０１号公報
【発明の開示】
【発明が解決しようとする課題】
【０００３】
一般に、セルの発光効率（輝度）は、蛍光体層の膜厚等に依存してばらつくおそれがある。蛍光体層の膜厚は、ディスプレイ面内の位置に依存してばらつくため、膜厚のばらつきは、輝度むらや色度むらの原因になる。このため、ＰＤＰ装置の製造工程において、各色の輝度むらやホワイトバランス等の色度むらをなくすための調整が実施される。さらに、セルの輝度は、ＰＤＰ装置の使用に伴い徐々に低下する。低下の度合いは、セルの位置により異なる。これにより、輝度むらや色度むらは、出荷時に現れていない場合にも、ＰＤＰ装置の使用に伴い徐々に現れる。しかしながら、ＰＤＰ装置の出荷後に輝度むらや色度むらを調整する手法は提案されていない。【０００４】
また、輝度を調整可能な従来のＰＤＰ装置では、輝度を調整するための調整用セルは、画像を表示するセル領域の外側に独立に形成されている。画像を表示するセルの輝度は、調整用セルを用いて間接的に測定される。上述したように、輝度むらは、蛍光体層の膜厚等に依存してばらつくため、画像を表示するセルにおける輝度の低下率は、調整用セルにおける輝度の低下率と一致しないことが多い。この場合、調整用セルを用いても、輝度むらや色度むらは正しく調整できない。【０００５】
本発明の目的は、フラットパネルディスプレイ装置が出荷された後に現れるセルの輝度むらを調整することである。
【課題を解決するための手段】
【０００６】
本発明では、ディスプレイパネルの背面に取り付けられた支持板は、複数の貫通穴を有する。支持板におけるディスプレイパネルと反対側の面には、貫通穴に対応する位置に、光検出部がそれぞれ取り付けられている。光検出部は、貫通穴に対向するセルからの光を直接受け、光量を検出する。試験パターン生成部は、試験表示パターンをディスプレイパネルに表示するための試験画像信号を出力する。補正制御部は、ディスプレイパネルにおける位置に依存する光量のむらを減らすための補正信号を、試験表示パターンの表示中に光検出部により検出されるセルの光量にそれぞれ基づいて生成する。光量調整部は、セルを発光するために供給される画像信号に含まれる輝度情報を、補正信号に応じて補正する。信号処理部は、光量調整部により補正された画像信号に応じて、ディスプレイパネルに供給する画像表示信号を生成する。
【発明の効果】
【０００７】
本発明では、画像を表示するセルからの光を、複数の貫通穴を介して光検出部によりそれぞれ直接検出でき、検出した光量に基づいてセルの発光量をそれぞれ調整できる。これにより、フラットパネルディスプレイ装置の出荷後に発生した輝度むらを無くすことができる。
【図面の簡単な説明】
【０００８】
【図１】本発明の第１の実施形態を示す分解斜視図である。
【図２】図１に示したＰＤＰの要部の詳細を示す分解斜視図である。
【図３】図１に示したＰＤＰおよびベースシャーシの要部の詳細を平面図である。
【図４】図１の光検出部の詳細を示す回路図である。
【図５】図１に示した回路部の概要を示すブロック図である。
【図６】ＰＤＰ装置の製造工程で、輝度むらおよび色度むらを無くすために補正値を求める手順を示すフロー図である。
【図７】ＰＤＰの出荷後に、輝度むらおよび色度むらを無くすための手順を示すフロー図である。
【図８】本発明の第２の実施形態を示す分解斜視図である。
【図９】図７のステップＳ４２における補間処理の一例を示す説明図である。
【図１０】本発明の第３の実施形態を示すブロック図である。
【図１１】本発明の第４の実施形態におけるＰＤＰ装置の製造工程における輝度むらおよび色度むらを無くすために補正値を求める手順を示すフロー図である。
【図１２】貫通穴および光検出部の別の配置例を示す平面図である。
【図１３】光検出部の別の例を示す回路図である。
【発明を実施するための最良の形態】
【０００９】
以下、本発明の実施形態を図面を用いて説明する。
図１は、本発明の第１の実施形態を示している。プラズマディスプレイパネル装置（以下、ＰＤＰ装置とも称する）は、四角板形状を有するプラズマディスプレイパネル１０（以下、ＰＤＰとも称する）、ＰＤＰ１０の画像表示面１２側に貼付されるフィルタ２０、ＰＤＰ１０の画像表示面１２側に配置された前筐体３０、ＰＤＰ１０の背面１４側に配置された後筐体４０、ＰＤＰ１０の背面１４側に配置されたベースシャーシ５０（支持板）、ベースシャーシ５０と後筐体４０の間に配置され、ＰＤＰ１０を駆動するための回路部６０を有している。回路部６０は、複数の部品で構成されるため、図では、破線の箱で示している。なお、ＰＤＰ装置は、前筐体３０の開口部３２に、保護ガラスを取り付けて構成されてもよい。【００１０】
ＰＤＰ１０は、画像表示面１２を構成する前面板１６および前面板１６に対向する背面板１８により構成されている。前面板１６と背面板１８の間に放電空間（セル）が形成されている。前面板１６および背面板１８は、ガラス基板により形成されている。このため、放電により生成された光は、前面板１６だけでなく背面板１８も透過する。フィルタ２０は、例えば、高分子フィルム（樹脂フィルム）の表面に金属メッシュまたは透明電極を取り付けて形成されている。フィルタ２０は、光に対する透過性を有する。【００１１】
ベースシャーシ５０は、ＰＤＰ１０に対応する四角形状を有しており、四隅に近い位置に、貫通穴５２をそれぞれ有している。ベースシャーシ５０は、ＰＤＰ１０から発生する熱を効率的に逃がすために、例えば、アルミニウム合金からなる板材をプレス加工することにより一体形成されている。各貫通穴５２の後筐体４０側には、光検出部７０が取り付けられている。光検出部７０は、例えば、フォトセンサを有している。フォトセンサは、ＰＤＰ１０のセルから出力され、背面板１８を透過する光の量（輝度）を直接検出する。【００１２】
ＰＤＰ１０は、図示しない両面接着テープを用いてベースシャーシ５０に固定されることで、ベースシャーシ５０に支持されている。両面接着テープが貫通穴５２を塞ぐ位置に取り付けられる場合、両面接着テープは、貫通穴５２に対応する位置に穴が開けられる。また、図１では、貫通穴５２の断面は、矩形形状であるが、光検出部７０が円筒状の場合、貫通穴５２の断面は、円形に形成される。貫通穴５２は、光検出部７０に覆われる大きさに形成されている。これにより、貫通穴５２を通る光のみが光検出部７０に入射される。すなわち、光検出部７０は、外光からの光がフォトセンサに入力されることを防止する遮光部材としても機能する。【００１３】
図２は、図１に示したＰＤＰ１０の要部の詳細を示している。前面板１６は、繰り返して放電を行なうために、ガラス基材１６ａ上（図では下側）に互いに平行かつ交互に形成されたＸ電極１６ｂ、Ｙ電極１６ｃを有している。電極１６ｂ、１６ｃは、誘電体層１６ｄに覆われており、さらに誘電体層１６ｄの表面は、ＭｇＯ等の保護層１６ｅに覆われている。【００１４】
背面板１８は、ガラス基材１８ａ上に、互いに平行に形成されたアドレス電極１８ｂを有している。アドレス電極１８ｂは、Ｘ電極１６ｂ、Ｙ電極１６ｃに垂直な方向に配置されている。アドレス電極１８ｂは、誘電体層１８ｃに覆われている。誘電体層１８ｃ上には、互いに隣接するアドレス電極１８ｂの間に対応する位置に隔壁（リブ）１８ｄが形成されている。隔壁１８ｄにより、後述する放電セルの側壁が構成される。さらに、隔壁１８ｄの側面と、互いに隣接する隔壁１８ｄの間の誘電体層１８ｃ上とには、紫外線により励起されて赤（Ｒ）、緑（Ｇ）、青（Ｂ）の可視光を発生する蛍光体１８ｅ、１８ｆ、１８ｇが塗布されている。ＰＤＰ１０の１つの放電セル（画素）は、Ｘ電極１６ｂ、Ｙ電極１６ｃおよび互いに隣接する一対の隔壁１８ｄで囲まれる領域により形成されている。このように、ＰＤＰ１０は、互いに異なる色の光を発生する複数種のセルを交互に配列して構成されている。【００１５】
ＰＤＰ１０は、前面板１６と背面板１８を保護層１６ｅと隔壁１８ｄが接するように貼り合わせ、Ｎｅ、Ｘｅ等の放電ガスを封入することで構成される。各電極１６ｂ、１６ｃ、１８ｂは、ＰＤＰ１０の外周部に形成される封着領域の外側に位置するＰＤＰ１０の端部まで延在しており、後述する図５に示す駆動回路６４に接続される。
図３は、図１に示したＰＤＰ１０およびベースシャーシ５０の要部の詳細を示している。上述したように、ＰＤＰ１０の１つのセル（画素）は、Ｘ電極１６ｂ、Ｙ電極１６ｃおよび隔壁１８ｄで囲まれる領域により形成されている。ベースシャーシ５０の各貫通穴５２は、例えば、ＰＤＰ１０の１８９セル分（横２１画素、縦９画素）の大きさを有している。貫通穴５２に対応する１８９セルは、赤色を発光する６３個の赤セルＲ、緑色を発光する６３個の緑セルＧ、青色を発光する６３個の青セルＢで構成される。【００１６】
図１に示した光検出部７０は、赤、緑、青の各色について、６３個のセルからの光を受けることができる。色ごとの受光量を増やすことができ、輝度を正確に検出できる。なお、セルの発光効率は、蛍光体層の膜厚等に依存してばらつくため、隣接するセルの輝度はほぼ同じである。したがって、複数のセルからの平均的な光量に基づいて輝度を補正しても、輝度むらおよび色度むらを正しく補正できる。なお、色度むらは、赤セルＲ、緑セルＧおよび青セルＢの輝度の相対的なずれ量が、ＰＤＰ１０の位置に依存して異なることにより発生する。このように、色度むらは、赤セルＲ、緑セルＧおよび青セルＢの輝度むらの程度が互いに異なるときに発生する。色度むらにより、ＰＤＰ１０の少なくとも一部の領域において、ホワイトバランスが崩れる。輝度むらおよび色度むらの補正については、図５および図７で説明する。【００１７】
ＰＤＰ１０において、画像を表示するためにセルの配列は、例えば、水平方向１９２０×垂直方向１０８０である。上記１８９セルは、画像を表示するためのセルである。すなわち、図１に示した光検出部７０は、画像を表示するセルからの光を直接受けることができる。
図４は、図１に示した光検出部７０の詳細を示している。光検出部７０は、赤、緑、青の光を検出可能なフォトセンサ７２、増幅器ＯＰＡ、抵抗Ｒ１、Ｒ２およびキャパシタＣ１を有している。抵抗Ｒ２およびキャパシタＣ１によりローパスフィルタＬＰＦが構成される。フォトセンサ７２は、例えば、アモルファスシリコンを用いて構成されている。アモルファスシリコンを用いたフォトセンサ７２は、人間の視感度特性に近い特性を有しているため、可視光を検出するために最適である
フォトセンサ７２は、検出した光量に応じて電流ＩＬを流す。電流ＩＬは増幅器ＯＰＡにより増幅され、電圧Ｖｏｕｔに変換される。ここで、電圧値Ｖｏｕｔは、電流ＩＬと抵抗Ｒ１の抵抗値ＲＬの積で表される。電圧Ｖｏｕｔは、ローパスフィルタＬＰＦを通してマイクロプロセッサＭＰＵのＡＤ変換器ＡＤＣに供給される。ＡＤ変換器ＡＤＣは、アナログの電圧値Ｖｏｕｔをデジタル値に変換する。この実施形態では、１つのフォトセンサ７２により赤、緑、青の光を順次受け、受けた光を１つのＡＤ変換器ＡＤＣにより電圧に順次変換する。また、４つの貫通穴５２に対抗して配置される４つのフォトセンサ７２は、予め校正されており、同じ光量を受けたときに流れる電流ＩＬは同じである。プロセッサＭＰＵは、後述する図５に示す制御部６２に設けられる。【００１８】
図５は、図１に示した回路部６０の概要を示している。回路部６０は、ＰＤＰ１０の動作を制御する制御部６２、ＰＤＰ１０に接続されたＸドライバＸＤＲＶ、ＹドライバＹＤＲＶ、アドレスドライバＡＤＲＶ、およびドライバＸＤＲＶ、ＹＤＲＶを駆動するための駆動回路６４を有している。制御部６２は、試験パターン生成部６２ａ、信号前処理部６２ｂ、光量調整部６２ｃ、信号処理部６２ｄ、記憶部６２ｅ、補正制御部６２ｆ、タイミング発生部６２ｇおよび要求入力部６２ｈを有している。【００１９】
試験パターン生成部６２ａは、要求入力部６２ｈで受ける調整要求ＡＲＥＱに応答して所定時間動作し、赤、緑、青をＰＤＰ１０に表示するための試験表示パターンを所定時間ずつ順次生成し、生成した試験表示パターンを試験画像信号ＴＩＭＧとして出力する。調整要求ＡＲＥＱは、後述するように、ＰＤＰ１０の輝度を調整するときにＰＤＰ装置の外部から供給される。信号前処理部６２ｂは、通常動作時に外部からの画像信号ＩＭＧに対してガンマ補正等を実施し、輝度の調整時に試験表示パターンに対してガンマ補正等を実施する。【００２０】
光量調整部６２ｃは、ＰＤＰ１０の輝度を調整するために、補正制御部６２ｆから供給される補正信号ＣＲに応じて、信号前処理部６２ｂからの画像信号ＩＭＧに含まれる輝度情報を補正する。信号処理部６２ｄは、光量調整部６２ｃにより補正された画像信号ＩＭＧに応じて駆動回路６４を動作するための画像制御信号ＩＣＮＴ１およびアドレスドライバＡＤＲＶに供給するための画像制御信号ＩＣＮＴ２を出力する。【００２１】
記憶部６２ｅは、ＰＤＰ装置の製造工程で測定された赤、緑、青の輝度値（基準値）を記憶する。また、記憶部６２ｅは、補正制御部６２ｆによって求められる補正値を記憶する。記憶部６２ｅは、例えば、フラッシュメモリ等の不揮発性メモリである。このため、記憶部６２ｅは、ＰＤＰ装置の製造工程で測定された輝度値を、ＰＤＰ装置の出荷後も記憶し続ける。そして、後述するように、ＰＤＰ装置の出荷後に、記憶部６２ｅに記憶された輝度値および光検出部７０により検出された輝度値に応じて、ＰＤＰ１０のセルの輝度が調整される。【００２２】
補正制御部６２ｆは、調整要求ＡＲＥＱに応答して所定時間動作し、試験表示パターンによりＰＤＰ１０が発光しているときに、４つの光検出部７０で検出されたＰＤＰ１０の輝度（赤、緑、青それぞれの輝度）を用いて演算を実施し、ＰＤＰ１０の表示領域での輝度むらおよび色度むらを減らすための補正値を求める。補正制御部６２ｆは、求めた補正値を補正信号ＣＲとして光量調整部６２ｃに出力する。タイミング発生部６２ｇは、駆動回路６４およびアドレスドライバＡＤＲＶの動作タイミングを制御するためにタイミング信号を出力する。【００２３】
図６は、ＰＤＰ装置の製造工程で、輝度むらおよび色度むらを無くすために補正値を求める手順を示している。図６に示した処理は、ＰＤＰ装置の動作モードを特性調整用の試験モードにすることにより自動的に実施される。試験モードは、例えば、試験モード用スイッチをオンすることで通常の画像表示モードから切り替わる。あるいは、ＰＤＰ装置を試験装置に接続した状態で、試験装置から試験コマンドをＰＤＰ装置に与えることで通常の画像表示モードから切り替わる。ＰＤＰ装置は、補正値を求めた後、動作モードを通常の画像表示モードに自動的に切り替える。【００２４】
まず、ステップＳ１０において、試験パターン生成部６２ａにより赤セルのみを発光するための試験画像信号ＴＩＭＧが出力され、ＰＤＰ１０は、画面全体に赤を表示する。ステップＳ１２において、４つの光検出部７０は、貫通穴５２に対応する４つの領域からそれぞれ出力される赤色光の輝度を検出する。補正制御部６２ｆは、４つの領域での赤色光の輝度に対応する電圧値Ｖｒ０をそれぞれ保持する。【００２５】
次に、ステップＳ１４において、試験パターン生成部６２ａにより緑セルのみを発光するための試験画像信号ＴＩＭＧが出力され、ＰＤＰ１０は、画面全体に緑を表示する。ステップＳ１６において、４つの光検出部７０は、貫通穴５２に対応する４つの領域からそれぞれ出力される緑色光の輝度を検出する。補正制御部６２ｆは、貫通穴５２に対応する４つの領域において、緑色光の輝度に対応する電圧値Ｖｇ０をそれぞれ保持する。ステップＳ１８、Ｓ２０においても、上述と同様にして、ＰＤＰ１０の画面全体に青が表示され、４つの領域での青色光の輝度に対応する電圧値Ｖｂ０がそれぞれ保持される。【００２６】
赤セル、緑セルおよび青セルを順次発光することにより、図４に示したように、１つのフォトセンサ７２により各色の光量を検出できる。また、色成分を分離する光学フィルタを不要にできる。したがって、本発明を適用するために必要なコストを最小限にできる。
この後、ステップＳ２２において、補正制御部６２ｆは、４つの光検出部７０に対向する赤セルの輝度（光量）に対応する電圧値Ｖｒ０、緑セルの輝度（光量）に対応する電圧値Ｖｇ０および青セルの輝度（光量）に対応する電圧値Ｖｂ０を記憶部６２ｅに保存する。記憶部６２ｅに記憶された電圧値Ｖｒ０、Ｖｇ０、Ｖｂ０は、後述する図７での輝度むらおよび色度むらを無くすために使用される。【００２７】
図７は、ＰＤＰ１０の出荷後に、ＰＤＰ１０の輝度むらおよび色度むらを無くすための手順を示している。なお、輝度むらおよび色度むらは、ＰＤＰ装置の出荷時に現れていない場合にも、ＰＤＰ装置の使用に伴って徐々に現れる。輝度むらおよび色度むらの程度は、ＰＤＰ装置毎に異なり、ＰＤＰ装置の出荷前に予想することは困難である。
図７に示した処理は、図５に示した要求入力部６２ｈが調整要求ＡＲＥＱを受けたときに実施される。要求入力部６２ｈは、例えば、ユーザによりＰＤＰ装置の画質補正メニューが選択されたときに、調整要求ＡＲＥＱを出力する。これにより、ユーザが希望するときに輝度むらおよび色度むらを無くすことができる。あるいは、ＰＤＰ装置がテレビジョン放送を受信するための機能を有する場合、テレビジョン放送の映像信号とともに調整要求ＡＲＥＱを受けることが可能である。この場合、ＰＤＰ装置のメーカが希望するときに輝度むらおよび色度むらを無くすことができる。【００２８】
まず、ステップＳ３０において、試験パターン生成部６２ａにより赤セルのみを発光するための試験画像信号ＴＩＭＧが出力され、ＰＤＰ１０は、画面全体に赤を表示する。ステップＳ３２において、４つの光検出部７０は、貫通穴５２に対応する４つの領域からそれぞれ出力される赤色光の輝度を検出する。補正制御部６２ｆは、４つの領域での赤色光の輝度に対応する電圧値Ｖｒをそれぞれ保持する。ステップＳ３４−Ｓ３６では、ステップＳ３０−Ｓ３２と同様にして、ＰＤＰ１０の画面全体に緑が表示され、４つの領域での緑色光の輝度に対応する電圧値Ｖｇが保持される。ステップＳ３８−Ｓ４０においても、ステップＳ３０−Ｓ３２と同様にして、ＰＤＰ１０の画面全体に青が表示され、４つの領域での青色光の輝度に対応する電圧値Ｖｂが保持される。【００２９】
次に、ステップＳ４２では、色度むらを補正するための演算が実施される。具体的には、補正制御部６２ｆは、検出された赤セル、緑セル、青セルの輝度に対応する電圧比Ｖｒ：Ｖｇ：Ｖｂを、記憶部６２ｅに保持された電圧比Ｖｒ０：Ｖｇ０：Ｖｂ０と等しくするための演算を実施する。また、補正制御部６２ｆは、赤セルの輝度比に対応する電圧比Ｖｒ／Ｖｒ０と、緑セルの輝度比に対応する電圧比Ｖｇ／Ｖｇ０と、青セルの輝度比に対応する電圧比Ｖｂ／Ｖｂ０とを互いに等しくするための演算を実施する。製造工程での値を基準にした相対値を用いて演算を実施することにより、フォトセンサ７２の特性のばらつきの影響を除くことができる。ステップＳ４２での演算により、ＰＤＰ１０の画面全体のホワイトバランスが等しく、かつ画面全体の輝度が等しくするための補正信号ＣＲが生成される。【００３０】
なお、この実施形態では、記憶部６２ｅに記憶されている４つの光検出部７０に対向する４つの領域の輝度に対応する電圧値Ｖｒ０、Ｖｇ０、Ｖｂ０を用いて、４つの光検出部７０に対向しない領域対応する補正値を求める補間処理が実施される。そして、ＰＤＰ装置の使用により生じた輝度むらおよび色度むらを調整するための補正信号ＣＲが生成される。ＰＤＰ１０は、輝度むらおよび色度むらを補正するために複数の補正領域に区分されている。例えば、補正領域の数は、５４（横９個×縦６個）である。補正信号ＣＲは、各補正領域に対応して生成される。【００３１】
ステップＳ４２では、補正値は、４つの領域で最も輝度が低い領域に合わせて求められる。また、電圧比Ｖｒ：Ｖｇ：Ｖｂを電圧比Ｖｒ０：Ｖｇ０：Ｖｂ０と等しくする場合、赤色光、緑色光、青色光のうち最も輝度の低い色に合わせて演算が実施され、補正信号ＣＲが生成される。なお、輝度を高く調整できる場合、補正信号ＣＲは、輝度の平均値に合わせて生成されてもよく、輝度の高い側に合わせて生成されてもよい。補正制御部６２ｆは、求めた補正信号ＣＲにより示される補正値を揮発性のラッチ等に記憶するとともに、記憶部６２ｅに書き込む。【００３２】
光量調整部６２ｃは、補正信号ＣＲに応じて補正領域毎に画像信号ＩＭＧの色度および輝度を調整し、調整した画像信号ＩＭＧを信号処理部６２ｄに出力する。このように、補正制御部６２ｆが、調整要求ＡＲＥＱに応答する光検出部７０の検出動作毎に補正信号ＣＲの値を変更することにより、ＰＤＰ１０の長時間の使用により輝度むらあるいは色度むらが発生し、画質が劣化した場合にも、ＰＤＰ装置の出荷時の画質に戻すことができる。【００３３】
なお、図７に示した処理は、例えば、連続して複数回実施され、平均値が採用される。これにより、輝度むらあるいは色度むらの補正の精度を向上できる。また、補正により輝度が極端に低下した場合や、ホワイトバランスが悪化した場合には、補正の程度を徐々に軽くしながら、補正を繰り返し、最適な輝度およびホワイトバランスを設定するための補正信号ＣＲの値を探すことができる。【００３４】
以上、第１の実施形態では、ＰＤＰ１０の複数箇所におけるセルからの光を、貫通穴５２を介して複数の光検出部７０により直接検出でき、検出した光量に基づいてＰＤＰ１０の複数箇所でセルの輝度（発光量）をそれぞれ調整できる。これにより、ＰＤＰ装置の出荷後に発生した輝度むらおよび色度むらを無くすことができる。
図８は、本発明の第２の実施形態を示している。第１の実施形態で説明した要素と同一の要素については、同一の符号を付し、これ等については、詳細な説明を省略する。この実施形態のプラズマディスプレイパネル装置では、ベースシャーシ５０Ａに間隔を置いて１５ヶ所に貫通穴５２が形成され、各貫通穴５２に対応して光検出部７０が取り付けられている。貫通穴５２は、ＰＤＰ１０の水平方向に沿って５ヶ所、垂直方向に沿って３ヶ所に形成されている。ベースシャーシ５０Ａの形状は、貫通穴５２の数が異なることを除き、第１の実施形態のベースシャーシ５０と同じである。【００３５】
ベースシャーシ５０Ａの後筐体４０側の面には、貫通穴５２および光検出部７０を覆って遮光部材７６が取り付けられている。遮光部材７６は、例えば、アルミニウム板等を箱状に折り曲げて形成されており、内面が黒く塗装されている。これにより、後筐体４０側から入射する外光が光検出部７０に検出されることを確実に防止でき、光の検出精度を向上できる。特に、光検出部７０の横断面形状が貫通穴５２の形状と異なり、光検出部７０で貫通穴５２を覆うことができないときに有効である。【００３６】
その他の構成は、図５に示した補正制御部６２ｆが１５個の光検出部７０で検出されたＰＤＰ１０の輝度（赤、緑、青それぞれの輝度）を用いて演算を実施することを除き、第１の実施形態と同じである。この実施形態では、第１の実施形態に比べて、記憶部６２ｅに記憶される情報量が増える。一方、多数の検出結果に基づいて補間処理を実施できるため、輝度補正の精度は向上する。ＰＤＰ１０の輝度むらおよび色度むらを無くすための処理は、図６および図７と同じである
図９は、図７のステップＳ４２における補間処理の一例を示している。補間処理は、補正係数ＣＣと画像信号ＩＭＧとの乗算処理を除き、図５に示した補正制御部６２ｆに形成される補間処理部（図示せず）により実施される。この実施形態では、ＰＤＰ１０の水平方向（Ｘ電極方向）の輝度を調整するための水平補間係数ＨＩＣと、ＰＤＰ１０の垂直方向（アドレス電極方向）の輝度を調整するための垂直補間係数ＶＩＣとが、図５に示した記憶部６２ｅに予め記憶されている。水平補間係数ＨＩＣおよび垂直補間係数ＶＩＣの値は、輝度の補間処理を実施するセルの位置により異なる。【００３７】
水平方向に並ぶ５つの光検出部７０の列（上、中、下）により検出された光量（記憶部６２ｅに記憶されている電圧値Ｖｒ０、Ｖｇ０、Ｖｂ０）は、乗算器ＭＵＬにより水平補間係数ＨＩＣとそれぞれ乗じられ、乗算結果が加算器ＡＤＤにより加算される。次に、各加算結果に垂直補間係数ＶＩＣが乗じられ、乗算結果が互いに加算される。これにより、補間するセルの位置に応じた補正係数ＣＣ（補正信号ＣＲ）が生成される。この後、例えば、光量調整部６２ｃにおいて、１画素分の画像信号ＩＭＧである画素データＰＩＸに補正係数ＣＣが乗じられ、画像信号ＩＭＧの輝度が補正される。図９に示した処理は、赤セル、緑セルおよび青セル毎にセル単位で実施される。あるいは、赤セル、緑セルおよび青セル毎に、所定数のセルにより構成されるセルグループ単位で実施されてもよい。なお、第１の実施形態の補間処理も、図９に示した補間処理と同様に実施される。【００３８】
以上、第２の実施形態においても上述した第１の実施形態と同様の効果を得ることができる。さらに、遮光部材７６をベースシャーシ５０に取り付けることにより、光検出部７０に外光が入ることを確実に防止できる。この結果、光検出部７０の検出精度を向上できる。また、多数の光検出部７０により光を検出することにより、輝度補正の精度を向上できる。この結果、輝度むらおよび色度むらをより確実に無くすことができる。【００３９】
図１０は、本発明の第３の実施形態を示している。第１の実施形態で説明した要素と同一の要素については、同一の符号を付し、これ等については、詳細な説明を省略する。この実施形態のプラズマディスプレイパネル装置では、要求入力部６２ｈの代わりに時間累積部６２ｉが形成されている。その他の構成は、第１の実施形態（図５）と同じである。
時間累積部６２ｉは、ＰＤＰ１０の動作時間を累積するカウンタを有しており、動作時間が所定時間（例えば、５００時間）に達する毎に調整要求ＡＲＥＱを試験パターン生成部６２ａ、光検出部７０および補正制御部６２ｆに出力する。試験パターン生成部６２ａ、光検出部７０および補正制御部６２ｆは、調整要求ＡＲＥＱを受けた後のＰＤＰ装置の最初の電源オフ操作のみに応答して、図７に示した動作を実行する。図７のステップＳ４２により得られた補正信号ＣＲの値（補正値）は、記憶部６２ｅに記憶される。そして、図７に示した動作を完了した後、ＰＤＰ装置の電源がオフされる。【００４０】
ＰＤＰ装置の電源が再びオンされたとき、補正制御部６２ｆは、記憶部６２ｅから読み出した補正値を補正信号ＣＲとして光量調整部６２ｃに出力する。これにより、電源のオフ時に得られた補正信号ＣＲを用いて輝度むらおよび色度むらを補正できる。
以上、第３の実施形態においても上述した第１の実施形態と同様の効果を得ることができる。さらに、所定の動作時間が経過する毎に図７に示した補正処理を実施することにより、個々のＰＤＰ１０の使用状況に合わせて輝度むらおよび色度むらを無くすことができる。【００４１】
図１１は、本発明の第４の実施形態におけるＰＤＰ装置の製造工程における輝度むらおよび色度むらを無くすために補正値を求める手順を示している。第１の実施形態で説明した要素と同一の要素については、同一の符号を付し、これ等については、詳細な説明を省略する。この実施形態のプラズマディスプレイパネル装置では、図１１の処理フローが、第１の実施形態（図６）と相違している。その他の構成は、第１の実施形態と同じである。【００４２】
ステップＳ１０−Ｓ２０の処理は、第１の実施形態（図６）と同じである。但し、検出された各色の輝度は、電圧値Ｖｒ、Ｖｇ、Ｖｂとして一時的に保持される。初期電圧値Ｖｒ０、Ｖｇ０、Ｖｂ０は、製造工程で求められるのではなく、ＰＤＰ１０の開発時に予め決められている。
ステップＳ２４は、図８に示したステップＳ４２と同じである。但し、演算に使用される電圧値Ｖｒ０、Ｖｇ０、Ｖｂ０は、予め決められた値である。そして、電圧比Ｖｒ：Ｖｇ；Ｖｂを電圧比Ｖｒ０：Ｖｇ０：Ｖｂ０と等しくするための演算が実施される。また、電圧比Ｖｒ／Ｖｒ０、電圧比Ｖｇ／Ｖｇ０および電圧比Ｖｂ／Ｖｂ０を互いに等しくするための演算が実施される。演算により生成された補正信号ＣＲは、図５に示した光量調整部６２ｃに出力され、輝度むらおよび色度むらが調整される。【００４３】
次に、ステップＳ２６において、演算により生成された補正信号ＣＲ（補正値）に対応する電圧値が初期電圧値Ｖｒ０、Ｖｇ０、Ｖｂ０として記憶部６２ｅに記憶される。この実施形態では、製造工程おいて、輝度むらおよび色度むらが調整され、調整後の輝度に対応する電圧値が初期電圧値Ｖｒ０、Ｖｇ０、Ｖｂ０として記憶部６２ｅに記憶される。これにより、従来、色度むらや輝度むらにより不良品にされていたＰＤＰ装置を救済できる。【００４４】
以上、第４の実施形態においても上述した第１の実施形態と同様の効果を得ることができる。さらに、画像を表示するセルの輝度を、製造工程において直接検出し補正することにより、従来、不良品として処理されていたＰＤＰ装置の輝度むらおよび色度むらを無くすことができる。この結果、製造歩留を向上でき、製造コストを削減できる。
なお、上述した実施形態では、本発明を、プラズマディスプレイパネル装置に適用する例について述べた。本発明はかかる実施形態に限定されるものではない。例えば、本発明を、有機ＥＬディスプレイ（organic electroluminescence display）、無機ＥＬディスプレイ（inorganic electroluminescence display）、あるいは表面電界ディスプレイ（Surface-conduction Electron-emitter Display）に適用しても同様の効果を得ることができる。さらに、ガラス基板を使用する他のフラットパネルディスプレイ装置に適用可能である。【００４５】
上述した第３の実施形態では、所定の動作時間が経過する毎に、図７に示した処理を実施する例について述べた。本発明はかかる実施形態に限定されるものではない。例えば、ＰＤＰ装置の電源オフ操作毎に、図７に示した処理を実施し、電源をオフしてもよい。あるいは、ＰＤＰ装置の電源オン操作毎に、図７に示した処理を実施してもよい。時間累積部６２ｉからの調整要求ＡＲＥＱを受けた後、ＰＤＰ装置の最初の電源オン操作のみに応答して、図７に示した処理を実施してもよい。【００４６】
さらに、ＰＤＰ１０の消費電力を累積する電力累積部を形成し、所定の電力が消費される毎に調整要求ＡＲＥＱを出力し、電源オフ操作毎あるいは電源オン操作毎にＰＤＰ１０の輝度むらおよび色度むらを補正してもよい。
上述した実施形態では、ベースシャーシ５０に４個または１５個の貫通穴５２を形成する例について述べた。本発明はかかる実施形態に限定されるものではない。例えば、図１２に示すように、ベースシャーシ５０に６個の貫通穴５２を形成してよい。この際、貫通穴５２の間隔を互いに等しくすることで、補間処理を容易にできる。【００４７】
上述した第１の実施形態では、１つのフォトセンサ７２を用いて、図６および図７に示したように、赤、緑、青の光量を順次に検出する例について述べた。本発明はかかる実施形態に限定されるものではない。例えば、図１３に示すように、光検出部７０に３つのフォトセンサ７２と３つの光学フィルタＦＬＴ（ＦＬＴＲ、ＦＬＴＧ、ＦＬＴＢ）を形成し、赤、緑、青の光量を同時に検出してもよい。この場合、試験パターン生成部６２ａは、試験表示パターンとして、赤セル、緑セルおよび青セルを同時に発光する。すなわち、白が表示されることにより、図６に示したステップＳ１０、Ｓ１４、Ｓ１８は、一度に実施され、ステップＳ１２、Ｓ１６、Ｓ２０は、一度に実施される。同様に、図７に示したステップＳ３０、Ｓ３４、Ｓ３８は、一度に実施され、ステップＳ３２、Ｓ３６、Ｓ４０は、一度に実施される。【００４８】
図１３において、光検出部７０は、赤、緑、青の光をそれぞれ検出する３つのフォトセンサ７２、各フォトセンサ７２に対応する増幅器ＯＰＡ、抵抗Ｒ１、Ｒ２およびキャパシタＣ１を有している。ＭＰＵは、フォトセンサ７２に対応する３つのＡＤ変換器ＡＤＣを有している。各フォトセンサ７２の受光面には、光学フィルタＦＬＴ（ＦＬＴＲ、ＦＬＴＧ、ＦＬＴＢ）が配置されている。光学フィルタＦＬＴＲは、赤の光のみを透過し、光学フィルタＦＬＴＧは、緑の光のみを透過し、光学フィルタＦＬＴＢは、青の光のみを透過する。光学フィルタＦＬＴにより、各フォトセンサ７２は、ＰＤＰ１０のセルから出力される赤、緑、青の光の１つのみを個別に検出する。この例では、３つのＡＤ変換器ＡＤＣにより、赤、緑、青の光がそれぞれ検出される。しかし、光検出部７０の３つの出力のいずれかをＭＰＵに選択的に供給するスイッチを形成し、１つのＡＤ変換器ＡＤＣを用いて、スイッチを切り替えながら赤、緑、青の光を順次検出してもよい。【００４９】
なお、図６、図７および図１１の処理の前に、基準値（ゼロ値、黒パターン）を検出してもよい。基準値は、制御部６２が画像信号を生成しない状態（無表示状態あるいは黒表示状態）で、各色の輝度を測定することにより求められる。図６、図７および図１１の処理を基準値との差分を用いて実施することにより、ノイズ等の影響を排除でき、検出精度を向上できる。この結果、輝度むらおよび色度むらの調整の精度を向上できる。【００５０】
以上、本発明について詳細に説明してきたが、上記の実施形態およびその変形例は発明の一例に過ぎず、本発明はこれに限定されるものではない。本発明を逸脱しない範囲で変形可能であることは明らかである。
【産業上の利用可能性】
【００５１】
本発明は、プラズマディスプレイパネル装置等のフラットパネルディスプレイ装置に適用できる。
【図１】
2008004290.tif 000003
【図２】
2008004290.tif 000004
【図３】
2008004290.tif 000005
【図４】
2008004290.tif 000006
【図５】
2008004290.tif 000007
【図６】
2008004290.tif 000008
【図７】
2008004290.tif 000009
【図８】
2008004290.tif 000010
【図９】
2008004290.tif 000011
【図１０】
2008004290.tif 000012
【図１１】
2008004290.tif 000013
【図１２】
2008004290.tif 000014
【図１３】
2008004290.tif 000015
【国際調査報告】
2008004290.tif 000016
2008004290.tif 000017
2008004290.tif 000018
2008004290.tif 000019